(57)【要約】【課題】クリスマス等、季節に応じて帯状体、例えば、豆電球やＬＥＤ等の光源をフレキシブルな帯状に連結してなる帯状発光体を軒樋本体の外周面に収納、保持できる軒樋装置を提供する。【解決手段】軒樋本体１の外周面長手方向に凹溝部２が設けられた軒樋装置であって、該凹溝部２は帯状体５を保持するとともに、該凹溝部２は上記帯状体５を着脱自在に係合してなる軒樋装置Ａ。好ましくは、上記凹溝部２の開口端には上下に相対向する係止片２１、２２が軒樋の長手方向に沿って突出して設けられ、上記帯状体５は帯状発光体とされる。【選択図】図２
2008223439.tif 000002
【特許請求の範囲】
【請求項１】
軒樋本体の外周面長手方向に凹溝部が設けられた軒樋装置であって、該凹溝部は帯状体を保持するとともに、該凹溝部は上記帯状体を着脱自在に係合してなる軒樋装置。
【請求項２】
上記凹溝部の開口端には上下に相対向する係止片が軒樋の長手方向に沿って突出して設けられた請求項１に記載の軒樋装置。
【請求項３】
上記軒樋本体が角樋であり、該角樋の前壁に上記凹溝部が設けられた請求項１に記載の軒樋装置。
【請求項４】
上記軒樋本体が角樋であり、該角樋の前壁と底面とに上記凹溝部が設けられた請求項１に記載の軒樋装置。
【請求項５】
上記軒樋本体が角樋であり、該角樋の前壁と底面と後壁とに上記凹溝部が設けられた請求項１に記載の軒樋装置。
【請求項６】
上記帯状体が帯状発光体である請求項１に記載の軒樋装置。
【発明の詳細な説明】
【技術分野】
【０００１】
本発明は、軒樋の構造に関する。さらに詳しくは、帯状体、例えば、クリスマス等に家の軒先周辺を電飾する帯状の発光体を収納、保持できる軒樋装置に関する。
【背景技術】
【０００２】
近年、クリスマス等、季節に応じて住宅の外側をライトアップしたり、ＬＥＤや小型電球等の光源を点滅させ、個性的に住宅の外面を電飾することが行われている。このとき、屋根の周囲に設けられている軒樋が上記光源を取り付けるためには、格好の位置にあり、多くの場合、市販の固定部材や針金等によって固定して取り付けられる。
【０００３】
一方、防犯上あるいは装飾用等のため、軒樋の後壁部と軒樋吊り具等、軒樋支持具を取り付ける鼻板との間のスペースに照明器具を収容し、軒先の下方を照明するように構成された軒樋装置も提案されている。例えば、下記特許文献１には、軒樋の後壁部と軒先前面との間に形成される間隔スペース内に照明器具を収容し、同間隔スペースの下方開口部を閉塞する透光板を設け、この透光板を介して上記軒樋の底面と軒先天井面とが略面一状に連続された軒樋装置が提案されている。
【０００４】
そして、軒樋の後壁部と軒先前面との間に形成される間隔スペースが活用され、該間隔スペース内に照明器具が邪魔にならないように体裁よく収容され、しかも同間隔スペースの下方開口部が透光板によって閉塞され、前記照明器具も覆い隠されて、軒先下方が外観良好に納まり、また、照明器具によって軒先下方が明るく照らされる効果があると記載されている。
【特許文献１】特開平８−３２６２４２号公報（第１〜３頁、第１図、第２図）
【発明の開示】
【発明が解決しようとする課題】
【０００５】
しかしながら、上記特許文献１に記載の技術は、その図２に示されているように、上記照明器具は、軒先前面の下端にビス固定された断面略コ字型で前方に開口した金属製の取付け具に固定され、かつ、下方に開口した扁平矩形状のボックスに内蔵されているため、軒先下方を照明することはできるが、軒樋回りを電飾することはできない。
【０００６】
本発明はこのような問題を解決して、クリスマス等、季節に応じて帯状体、例えば、豆電球やＬＥＤ等の光源をフレキシブルな帯状に連結してなる帯状発光体を軒樋本体の外周面に収納、保持し、イルミネーションや防犯効果をあげることのできる軒樋装置を提供することを、その課題とする。
【課題を解決するための手段】
【０００７】
上記課題を解決するため、本発明においては、つぎのような技術的手段を講じている。すなわち、請求項１に記載の発明によれば、軒樋本体の外周面長手方向に凹溝部が設けられた軒樋装置であって、該凹溝部は帯状体を保持するとともに、該凹溝部は上記帯状体を着脱自在に係合してなる軒樋装置が提供される。軒樋本体としてはとくに限定されず、断面半円形の軒樋、角樋等が用いられる。また、材質としては、通常、弾性を有する合成樹脂、例えば、塩化ビニル樹脂を成形して得られた軒樋が好ましく用いられる。
【０００８】
請求項２に記載の軒樋装置は、請求項１に記載の発明に加えて、上記凹溝部の開口端には上下に相対向する係止片が軒樋の長手方向に沿って突出して設けられる。
【０００９】
請求項３に記載の軒樋装置は、請求項１に記載の発明に加えて、上記軒樋本体が角樋であり、該角樋の前壁に凹溝部が設けられる。
【００１０】
請求項４に記載の軒樋装置は、請求項１に記載の発明に加えて、上記軒樋本体が角樋であり、該角樋の前壁と底面とに凹溝部が設けられる。
【００１１】
請求項５に記載の軒樋装置は、請求項１に記載の発明に加えて、上記軒樋本体が角樋であり、該角樋の前壁と底面と後壁に凹溝部が設けられる。
【００１２】
請求項６に記載の軒樋装置は、請求項１に記載の発明に加えて、上記帯状体が帯状発光体とされる。
【発明の効果】
【００１３】
請求項１に記載の発明にかかる軒樋装置は上記のとおりであり、軒樋本体の外周面長手方向に凹溝部が設けられ、該凹溝部は帯状体を保持するとともに、該凹溝部は上記帯状体を着脱自在に係合してなるため、上記凹溝部で帯状体、例えば、光源をフレキシブルな帯状に連結してなる帯状発光体を凹溝部に収納、保持し、軒樋本体に取り付けることができる。
【００１４】
請求項２に記載の軒樋装置は上記のとおりであり、請求項１の軒樋装置の有する効果に加え、上記凹溝部の開口端には上下に相対向する係止片が軒樋方向に沿って突出して設けられているため、凹溝部は弾性的に開口し、帯状体は着脱自在に保持され、上係止片と下係止片とによってしっかりと係止される。
【００１５】
請求項３に記載の軒樋装置は上記のとおりであり、請求項１の軒樋装置の有する効果に加え、上記軒樋本体が角樋であり、該角樋の前壁に凹溝部が設けられているため、例えば、帯状発光体を保持して点灯することにより、軒樋の前面をイルミネーションで飾ることができる。
【００１６】
請求項４に記載の軒樋装置は上記のとおりであり、請求項１の軒樋装置の有する効果に加え、上記軒樋本体が角樋であり、該角樋の前壁と底面とに凹溝部が設けられているため、例えば、帯状発光体を保持して点灯することにより、軒樋の前面をイルミネーションで飾ることができるとともに、軒樋の下方も照らすことが可能であり、装飾効果と合わせて住宅軒先を明るく照らすことができる。
【００１７】
請求項５に記載の軒樋装置は上記のとおりであり、請求項１の軒樋装置の有する効果に加え、上記軒樋本体が角樋であり、該角樋の前壁と底面と後壁とに凹溝部が設けられているため、例えば、帯状発光体を保持して点灯することにより、軒樋の前面をイルミネーションで飾ることができるとともに、軒樋の下方も照らすことが可能であり、装飾効果と合わせて住宅軒先を明るく照らすことができる。さらに街路や歩行者の足許を照らして防犯上、安全上においても有効であり、夜間の不審者の侵入を抑制、防止する等の効果もあげることができる。
【００１８】
請求項６に記載の軒樋装置は上記のとおりであり、請求項１の軒樋装置の有する効果に加え、上記帯状体を帯状発光体とし、例えば、ポリエチレン等のフレキシブルなチューブにＬＥＤ等の光源を配設することにより、軒樋や駆体を傷付けることなく、住宅の外面を電飾することができる。また、後付けで帯状発光体を市販の固定部材や針金等によって軒樋や壁面に固定する従来法に比べて一般施主が容易に取り付けできるとともに、黒い配線が壁面に垂れ下がって外観意匠を損なうことを解消できる。
【発明を実施するための最良の形態】
【００１９】
以下、軒樋として角樋を用いた本発明の実施形態について図面を参照して詳細に説明する。図１は本発明の第１実施形態にかかる軒樋装置Ａを示す斜視図である。図１に示すように、上記軒樋装置Ａは、前壁１１、底面１２および後面１３を含んでなる軒樋本体１と、上記前壁１１の外面に、その長手方向に沿って図外帯状体を保持する凹溝部２とから構成される。また、上記凹溝部２の開口端には、上係止片２１と下係止片２２とが上下に相対向して軒樋の長手方向に沿って突設されている。
【００２０】
図２は、上記軒樋本体１の凹溝部２に帯状体５としてポリエチレン等のフレキシブルなチューブにＬＥＤ等の光源５１を配設した帯状発光体を着脱自在に係合する状態を示す説明図である。既述のように、上記軒樋本体１は、塩化ビニル樹脂等から形成されているため、その前壁１１の外面に設けられた凹溝部２は弾性的に開口し、帯状体５を着脱自在に保持するとともに、上記帯状体５は上係止片２１と下係止片２２とによってしっかりと係止され、その脱落が防止される。
【００２１】
図３は、鼻板６に取り付けられた軒樋本体１の凹溝部２に帯状発光体を保持し、ＬＥＤ等の光源５１を発光させた状態を模式的に示す斜視図である。図３に示すように、上記帯状発光体を凹溝部２に保持することにより、軒樋本体１の前壁１１の外面に、容易に、また、確実に帯状発光体が取り付けられ、夜間にはイルミネーションとして軒先を電飾することができる。
【００２２】
図４は、本発明の第２実施形態にかかる軒樋装置Ｂを示す斜視図である。図４に示すように、上記軒樋装置Ｂは図１に示す軒樋本体１の底面１２の外面にも軒樋の長手方向に沿って凹溝部３が設けられている。また、図４に示されるように、上記底面１２の外面に設けられた凹溝部３にも、図１に示す凹溝部２と同様に、その開口端には、左係止片３１と右係止片３２とが左右に相対向し、軒樋の長手方向に沿って突設されている。
【００２３】
図５は、本発明の第３実施形態にかかる軒樋装置Ｃを示す斜視図である。図５に示すように、上記軒樋装置Ｃは軒樋本体１の前壁１１、底面１２および後壁１３の外面の長手方向に沿ってそれぞれ凹溝部２、凹溝部３、凹溝部４が設けられ、図１に示す軒樋本体１の場合と同様に、凹溝部４の開口端には、上係止片４１と下係止片４２とが上下に相対向し、軒樋の長手方向に沿って突設されている。
【００２４】
図６は、上記第３実施形態にかかる軒樋装置Ｃを軒先に取り付け、凹溝部２、凹溝部３、凹溝部４に帯状発光体を係止して光源５１に通電した状態を模式的に示す説明図である。図６に示されているように、上記光源５１が前方向、下方向、後方向を照らし、住宅軒先を明るくすることができるため、イルミネーションにより住宅の外観を個性的に電飾することができるのみならず、街路や歩行者の足許を照らして防犯上、安全上にも有効である。さらに、夜間の不審者の侵入を抑制、防止する等の効果もあげることができる。
【００２５】
なお、上記光源５１は、光センサと連動するスイッチにより自動点灯、自動消灯することも可能であり、夜間の点灯、昼間の消灯を忘れることなく、省エネルギー効果を図ることができる。このように、本発明は種々設計変更可能であり、特許請求の範囲を逸脱しない限り、いずれも本発明の技術的範囲に属する。
【図面の簡単な説明】
【００２６】
【図１】本発明の第１実施形態にかかる軒樋装置を示す斜視図である。
【図２】本発明の第１実施形態にかかる軒樋装置の軒樋本体の凹溝部に帯状発光体を着脱自在に係合する状態を示す説明図である。
【図３】上記軒樋本体の前壁の外面に帯状発光体を取り付け、光源を発光させた状態を模式的に示す斜視図である。
【図４】本発明の第２実施形態にかかる軒樋装置を示す斜視図である。
【図５】本発明の第３実施形態にかかる軒樋装置を示す斜視図である。
【図６】軒先に取り付けられた第３実施形態にかかる軒樋装置に帯状発光体を係止して光源に通電した状態を模式的に示す説明図である。
【符号の説明】
【００２７】
Ａ          本発明の第１実施形態にかかる軒樋装置
Ｂ          本発明の第２実施形態にかかる軒樋装置
Ｃ          本発明の第３実施形態にかかる軒樋装置
１          軒樋本体
１１        前壁
１２        底面
１３        後面
２          第１実施形態にかかる凹溝部
２１        上係止片
２２        下係止片
３          第２実施形態にかかる凹溝部
３１        左係止片
３２        右係止片
４          第３実施形態にかかる凹溝部
４１        上係止片
４２        下係止片
５          帯状体
５１        光源
６          鼻板
【図１】
2008223439.tif 000003
【図２】
2008223439.tif 000004
【図３】
2008223439.tif 000005
【図４】
2008223439.tif 000006
【図５】
2008223439.tif 000007
【図６】
2008223439.tif 000008